(57)【特許請求の範囲】
【請求項１】
頂辺ＡとＢ，側辺ＣとＤ，底辺Ｅからなる中空五角形の横桟が、支柱間に等間隔で上下多数に取り付けられた手摺用パネル構造体であって、頂角βを略９０°、底角γを略４５°とし、頂辺ＡとＢは同長、側辺ＣとＤは長さがＣ＜Ｄで、側辺ＣとＤの内側対向位置に、ビス取り付け用突条ｇ，ｇ’が形成されていることを特徴とする手摺用パネル構造体。
【請求項２】
下段に位置する横桟の頂辺ＡとＢとの交差部ｈの水準が、上段に位置する横桟の底辺Ｅの下端ｉの水準よりも僅かに高く配列されている請求項２記載の手摺用パネル構造体。
【発明の詳細な説明】
【０００１】
【発明の属する技術分野】
本発明は、マンションなどの建物のベランダ，バルコニー，屋上等に使用される手摺を構成するパネル用の横桟に関する。
【０００２】
【従来の技術】
従来、マンションなどの建物のベランダ，バルコニー，屋上には、落下防止のための立格子を備えた手摺が取り付けられている。
この立格子を備えた手摺は、外部からの視線を防止することができないため、外から人に見られたり、観察されたりする不都合があった。このため、例えば、立格子の代わりに視線を遮断できる板状のパネルを取り付けた手摺や、図５に示すような板体に多数の小孔１１を有するパンチングメタル１２を取り付けた手摺が使用されていた。
しかし、上記板状のパネルを取り付けた手摺では、視線を防止したり、あるいは外からの強風を防止することはできるが、光りについても遮断してしまうため、この場合に陽が当らないという不利があるとともに、パネルの裏面にカビが発生しやすいという欠点があった。
また、パンチングメタルを取り付けた手摺では、ある程度の視線は防止できるが、完全には遮断することができないという不利があり、しかもパンチングメタルを成形するための費用が高すぎるという欠点もあった。
【０００３】
そのため、例えば、図６に示すように、アルミルーバー構造のものが開発されている。
この構造は、支柱１３の側面に取り付けられるハネ片１４が、所定の間隔を置いて縦方向に配列されたものである。この配列は、傾斜部１５が、外側Ｘに低く、内側Ｙに高くなるように配置されている。
【０００４】
【発明が解決しようとする課題】
しかしながら、上記従来の手摺においては、確かに視線を遮ることはできるが、ハネ片であるため、マンション等の高所では、風が吹いたときに、ハネ片が振動して、音をたて、騒音を発生して近隣の迷惑の原因にもなるという不都合があった。
さらに、取り付け面にボルトの跡が見えてしまい、見栄えが悪いという不利もあった。
また、この手摺のハネ片の配列は、内側から外側に低く、内側に高くなるように配置されており、足を掛けることができるため、幼児がここに足を掛けてよじ登り、万が一、落下して大事故を引き起こすという危険性もあった。
そこで、本発明は、視線を遮るとともに、光りを十分に供給でき、通気性も良好で、しかも強風でも騒音を防止できる安全性の高い優れた手摺用パネル構造体を提供することを課題とする。
【０００５】
【課題を解決するための手段】
本発明者は、上記課題を解決するために鋭意研究を重ねた結果、横桟の改良を図り、その形状と配列を特殊な組み合わせ構造にすることによって実用上極めて望ましい手摺用パネル構造体を見いだし、本発明を完成させた。
【０００６】
すなわち、請求項１に係る発明は、頂辺ＡとＢ，側辺ＣとＤ，底辺Ｅからなる中空五角形の横桟が、支柱間に等間隔で上下多数に取り付けられた手摺用パネル構造体であって、頂角βを略９０°、底角γを略４５°とし、頂辺ＡとＢは同長、側辺ＣとＤは長さがＣ＜Ｂで、側辺ＣとＤの内側対向位置に、ビス取り付け用突条ｇ，ｇ’が形成されている手摺用パネル構造体である。
また、請求項２に係る発明は、上記構造体において、下段に位置する横桟の頂辺ＡとＢとの交差部ｈの水準が、上段に位置する横桟の底辺Ｅの下端ｉの水準よりも僅かに高く配列されている手摺用パネル構造体である。
【０００７】
【発明の実施の形態】
以下、本発明の実施の形態を添付図面に基づいて詳細に説明する。
図１は、本発明の前提となる手摺用パネル構造体の代表的な一例を示す正面説明図、図２は、本発明の前提となる手摺用パネル構造体の配列状態を示す横桟の部分拡大端面図、図３は、本発明の手摺用パネル構造体の一例を示す横桟の部分拡大端面図、図４は、手摺の取り付け状態を示す参考断面図である。
【０００８】
図１に示すように、本発明の前提となる手摺用パネル構造体は、横桟１が上下多数に等間隔に配列され、その端部が支柱（図示せず）に取り付けられる構造である。
この横桟１の配列構造は、図２に示すように、前記横桟１，１，１・・・は、上辺ａと、側辺ｂ及びｃと、下辺ｄとで構成される中空四角形状である。この横桟１は、断面が平行四辺形状、好ましくは菱形形状であって、上段に位置する横桟の下辺ｄと、下段に位置する横桟の上辺ａとが互いに平行に配置されている。
上辺ａと側辺ｂとのなす角度αは、通常、３０〜６０°の範囲であり、必要に応じて、側辺ｂとｃの内側対向位置に、ビス取り付け用突条ｇ，ｇ’を形成してもよい。
【０００９】
このように配列されたパネル構造体は、図２に示すように、矢印(1)方向（水平方向）では、視線や風の直進を遮ることができ、さらに矢印(2)方向（下部からの方向）でも、視線を遮断できる。矢印(3)方向（上部からの方向）のみからの視線を外側から内側に受け入れることができるのである。この結果、上部方向からの入射光線を受け入れることができ、ベランダにプランター等を設置しても、満足する入射光線を取り入れられる。
矢印(1)及び(2)の方向の視線を遮ることができるので、他人からベランダ内を覗かれる心配がない。
また、風向についても矢印(3)方向からのみ受け入れることができ、さらに、横桟が四角形状であるため、従来のようなハネ片のように、揺れて音を発することはない。
【００１０】
下段に位置する横桟の上辺ａの上端部ｅの水準が、上段に位置する横桟の下辺ｄの下端部ｆの水準よりも僅かに高く配列されていることが好ましい。
これによって、水平方向からの視界を完全に遮ることができるとともに、風の直進も防止できる。
【００１１】
また、上辺ａと下辺ｄとが平行に配列されているから、上方からの入射光線が横桟の外側から内側にスムーズに通過することができる。
【００１２】
本発明は、横桟を上記した中空四角形状のものに代えて、図３に示すように特殊な五角形状のものを採用する。
この横桟１は、図３に示すように、頂辺Ａ及びＢと、側辺Ｃ及びＤと、底辺Ｅとで構成される中空五角形状であって、頂角βが略９０°、底角γが略４５°であり、頂辺ＡとＢは同長、側辺ＣとＤは長さがＣ＜Ｄで、側辺ＣとＤの内側対向位置に、ビス取り付け用突条ｇ，ｇ’が形成されている構造である。
【００１３】
このように配列されたパネル構造体は、上記中空四角形状の場合と同様に、図３に示すような、矢印(1)方向（水平方向）では、視線や風の直進を遮ることができ、さらに矢印(2)方向（下部からの方向）でも、視線を遮断できる。矢印(3)方向（上部からの方向）のみからの視線を外側から内側に受け入れることができるのである。この結果、上部方向からの入射光線を受け入れることができ、ベランダにプランター等を設置しても、満足する入射光線を取り入れられる。
【００１４】
本発明を構成する五角形状の横桟の配列は、図４では、五角形状のものを縦７列に配列されているが、この数は、特に限定されるものではなく、パネル構造体の寸法に合わせて適宜選択すればよい。また、横桟の長さについても用途に応じて適宜選択すればよい。
【００１５】
この特殊な五角形状の横桟は、頂辺Ａ及びＢと、側辺Ｃ及びＤと、底辺Ｅとで構成され、頂辺Ａ及びＢとをなす頂角βは、９０°が好ましいが、手摺の用途に応じて、例えば８０〜１００°程度の範囲であってもよい。
【００１６】
側辺Ｃ及びＤとは、平行であることが好ましく、この側辺Ｃの下端と側辺Ｄの下端を結ぶ底辺Ｅの底角γは、４５°が好ましいが、手摺の用途に応じて、例えば３５〜５５°程度の範囲であってもよい。
【００１７】
本発明において、下段に位置する横桟の頂辺ＡとＢとの交差部ｈの水準が、上段に位置する横桟の底辺Ｅの下端ｉの水準よりも僅かに高く配列されていることが好ましい。これによって、水平方向からの視界を完全に遮ることができるとともに、風の直進も防止できる。
【００１８】
また、頂辺Ｂと底辺Ｅとが平行に配列されているから、上方からの入射光線が横桟の外側から内側にスムーズに通過することができる。
さらに、側辺Ｃ及びＤには、それぞれの中央部に補強用のリブｊ、ｊ’を形成させることによって、横桟の横方向の強度が強化され、強風やその他の衝撃にも耐え得る耐久性に優れたパネル構造体を提供できる。
【００１９】
本発明は、このような部材を組み合わせた構造のものであって、支柱に直接、横桟をビス止めして取り付けてもよいが、通常、図４に示すように、横桟１をアングル材３に取り付け、接続部材４を介して支柱２に取り付けてもよく、支柱間に横桟が配列されていれば適宜な方法で取り付けが可能である。
これにより、安定なパネル構造体を提供することができる。
【００２０】
【発明の効果】
本発明によれば、
１．上方からの入射光線を通過させ、水平方向及び下方からの入射光線及び視線を遮ることができる。
２．内側から外側下方が見えないため、マンション等の高所での恐怖感が起こらない。
３．横桟が特殊な五角形状であるため、従来のハネ片の振動による騒音の発生を抑制することができる。
４．上方からの入射光線を取り入れることができるため、内側にプランターなどを好適に配置できる。
【図面の簡単な説明】
【図１】  本発明の前提となる手摺用パネル構造体の一例を示す正面説明図である。
【図２】  本発明の前提となる手摺用パネル構造体の配列状態を示す横桟の部分拡大端面図である。
【図３】  本発明の手摺用パネル構造体の配列状態を示す横桟の一例を示す部分拡大端面図である。
【図４】  本発明の手摺用パネル構造体の取り付け状態の一例を示す参考断面図である。
【図５】  従来の手摺の一例を示す正面説明図である。
【図６】  従来の手摺の他の一例を示す側面説明図である。
【符号の説明】
１  横桟
２  支柱
３  アングル材
４  接続部材
１１  小孔
１２  パンチングメタル
１３  支柱
１４  ハネ片
１５  傾斜部
ａ  上辺
ｂ，ｃ  側辺
ｄ  下辺
ｅ  上辺の上端部
ｆ  下辺の下端部
ｇ，ｇ’  ビス取り付け用突条
ｈ  頂辺ａとｂとの交差部
ｉ  底辺の下端
ｊ，ｊ’補強用のリブ
Ａ，Ｂ  頂辺
Ｃ，Ｄ  側辺
Ｅ  底辺
(1)方向  水平方向
(2)方向  下部からの方向
(3)方向  上部からの方向
Ｘ  外側
Ｙ  内側
α  上辺ａと側辺ｂとのなす角度
β  頂角
γ  底角
【図１】
0004115636.tif 000002
【図２】
0004115636.tif 000003
【図３】
0004115636.tif 000004
【図４】
0004115636.tif 000005
【図５】
0004115636.tif 000006
【図６】
0004115636.tif 000007